(57)【要約】【課題】管理が必要なモノに対する愛着や親近感を高められるような告知を行う。【解決手段】管理対象物またはその周囲環境の状態を測定するセンサ装置および管理者の通信端末装置の各識別情報と、管理者により選択されたキャラクターを特定する情報とが登録されたサーバー装置１において、登録済みのセンサ装置から送信された測定データを測定データ記憶部１７に蓄積しつつ、判定基準記憶部１８に登録された判定基準に基づき測定データの変化の状態を分析して、管理対象物にとって好ましくない状態が生じていることを意味する危険告知や好ましい状態にあることを意味する安心告知を行うタイミングを判定する。これらの告知においては、センサ装置に紐付けられているキャラクターに関して告知情報記憶部１９に登録されている告知情報を管理者の通信端末装置に送信することにより、管理者が選択したキャラクターの画像および音声による告知が行われる。【選択図】図３
2018037975.tif 000002
【特許請求の範囲】
【請求項１】
管理の対象となる有体物又はその周囲環境の状態を測定してその測定結果を示す測定データをインターネット通信により送信するセンサ装置との通信によって前記測定データを取得し、取得した測定データを分析した結果に基づき、所定の画像と音声とによる告知を行うための告知情報を前記有体物の管理者が使用する通信端末装置に配信するサーバー装置であって、
複数種のキャラクターのそれぞれについて、その特性を表すプロフィール情報が登録されたキャラクター情報記憶手段と、
前記有体物の管理者に固有の情報を登録するためのユーザー情報記憶手段と、
前記通信端末装置との通信により当該通信端末装置の識別情報を取得すると共に、当該通信端末装置との通信を介して特定のセンサ装置の識別情報の入力および前記キャラクター情報記憶手段に登録されたキャラクターのうちの１つを選択する操作を受け付け、選択されたキャラクターを特定する情報と前記通信端末装置の識別情報と前記センサ装置の識別情報とを互いに紐付けて前記ユーザー情報記憶手段に登録する登録実行手段と、
前記センサ装置から取得した測定データを分析してその分析結果から当該センサ装置の測定対象の有体物にとって好ましくない状態が生じていることを意味する危険告知および当該有体物にとって好ましい状態であることを意味する安心告知を行うタイミングを判定するための判定基準が登録された判定基準記憶手段と、
前記ユーザー情報記憶手段への登録が完了したセンサ装置毎に、その装置から取得した測定データを前記判定基準に基づき分析する処理を繰り返しながら、分析結果に基づき前記危険告知用の告知情報および前記安心告知用の告知情報を配信するタイミングを判定する判定手段と、
前記キャラクター情報記憶手段に登録されている各キャラクターについて、それぞれそのキャラクターのプロフィール情報に適合する態様による前記危険告知用の告知情報と前記安心告知用の告知情報とが少なくとも１種類ずつ登録された告知情報記憶手段と、
前記判定手段により危険告知または安心告知を行うタイミングであると判定されたセンサ装置に関して前記ユーザー情報記憶手段に登録された情報に基づき、当該センサ装置に紐付けられているキャラクターに関して前記告知情報記憶手段に登録されている告知情報を当該センサ装置に紐付けられている通信端末装置に送信する告知処理手段とを、備えることを特徴とする状態告知用のサーバー装置。
【請求項２】
前記判定基準記憶手段に登録された判定基準は、好ましくない状態に相当する測定データを複数種の閾値と比較することにより、当該測定データが各閾値により特定される複数段階の危険レベルのいずれに該当するかを判定すると共に、所定の危険レベルにあった測定データがより危険度の高い危険レベルに移行したと判定される都度危険告知を行うように定義されており、
前記告知情報記憶手段には、前記危険告知に関して、危険レベル毎に内容の異なる告知情報が登録されており、
前記告知処理手段は、前記判定手段により危険告知を行う旨の判定がなされたとき、そのときに判定されている危険レベルに対応する危険告知用の告知情報を前記通信端末装置に送信する、
請求項１に記載された状態告知用のサーバー装置。
【請求項３】
前記告知情報記憶手段には、前記安心告知に関して、前記複数段階の危険レベル毎に内容の異なる告知情報が登録されており、
前記告知処理手段は、所定の危険レベルにあった測定データが好ましい状態に相当するレベルに向かって変化したことに応じて前記判定手段により安心告知を行う旨の判定がなされたとき、前記変化が開始された時点の危険レベルに対応する安心告知用の告知情報を送信する、請求項２に記載された状態告知用のサーバー装置。
【請求項４】
所定の有体物又はその周囲環境の状態を測定してその測定結果を示す測定データを送信するセンサ装置と、前記有体物の所有者が用いる通信端末装置および前記センサ装置の双方とインターネットを介した通信を行うサーバー装置とにより実行される方法であって、
前記サーバー装置において、前記有体物を表すものとして所有者に選択させる候補として複数種のキャラクターのそれぞれの特性を表すプロフィール情報をキャラクター毎に登録すると共に、センサ装置の測定対象の有体物にとって好ましくない状態が生じていることを意味する危険告知用の告知情報と、当該有体物にとって好ましい状態にあることを意味する安心告知用の告知情報とを、それぞれのキャラクターに対して少なくとも１種類ずつ、画像と音声とによる告知を実施できる形式のデータとして登録し、
登録のために所定の通信端末装置からのアクセスを受けたサーバー装置において、当該通信端末装置から特定のセンサ装置の識別情報の入力を受け付けると共に、前記通信端末装置に前記複数種のキャラクターのプロフィール情報の閲覧が可能な画面を表示させて当該通信端末装置におけるキャラクターの選択操作を受け付け、選択されたキャラクターを特定する情報と前記通信端末装置の識別情報と前記センサ装置の識別情報とを互いに紐付けて登録し、
前記サーバー装置への登録が完了したセンサ装置において測定および前記測定データの送信を繰り返し実行すると共に、当該測定データの送信を受けたサーバー装置において、受信した測定データの変化の状態を予め登録された判定基準に基づき分析する処理を繰り返しながら前記危険告知および安心告知を行うタイミングを判定し、いずれかの告知を行うタイミングであると判定したとき、分析対象の測定データに対応するセンサ装置に紐付けられているキャラクターに関して登録されている告知情報を当該センサ装置に紐付けられている通信端末装置に送信する、
ことを特徴とする状態告知方法。
【発明の詳細な説明】
【技術分野】
【０００１】
本発明は、所定の有体物を所有又は管理する者に、その有体物の状態又は有体物の周囲の環境の状態を告知するための技術に関する。
【背景技術】
【０００２】
近年、ＩｏＴ（Ｉｎｔｅｒｎｅｔ  ｏｆ  Ｔｈｉｎｇｓ）技術への注目度の高まりや、小型かつ高性能のセンサ機器が安価で提供されるようになったことに伴い、一般の生活においてこまめに管理する必要がある物品や植物・小動物などの状況を、スマートフォンなどの携帯型の通信端末装置を用いて確認できるようにしたシステムが提案されている。
【０００３】
たとえば、植物の育成管理に関するシステムとして、管理対象の植物が植えられた土壌の水分値を測定するセンサ端末からサーバー装置に測定データをアップロードし、サーバー装置においてアップロードされた測定データを分析して土壌の含水レベルを判定し、その判定結果をセンサ端末のユーザー（植物の栽培者）の携帯端末に送信するように構成されたシステムが提案されている（特許文献１を参照）。
【先行技術文献】
【特許文献】
【０００４】
【特許文献１】特開２０１４−６０９３４号公報
【発明の概要】
【発明が解決しようとする課題】
【０００５】
しかし、高度な技術を用いて情報取得の利便性を高めても、情報を受け取る人の心に響く通知が届けられなければ、好ましくない状態を改善するための具体的な行為（水やりなど）を誘発するには不十分である。またモノを大切に取り扱おうという気持ちを生じさせることも困難である。
【０００６】
本発明はこの問題に着目し、管理が必要なモノに対する愛着や親近感を高めて、モノを大切に取り扱おうという気持ちが養われるような告知を行うことを課題とする。
【課題を解決するための手段】
【０００７】
本発明は、管理の対象となる有体物又はその周囲の状態を測定してその測定結果を示す測定データをインターネット通信により送信するセンサ装置との通信によって前記測定データを取得し、取得した測定データを分析した結果に基づき、所定の画像と音声とによる告知を行うための告知情報を前記有体物の管理者が使用する通信端末装置に配信するサーバー装置を提供する。なお、「管理の対象となる有体物」（以下、「管理対象物」という。）には、車や電化製品などの物品のほか、植物、魚、昆虫その他の小動物など、取り扱いに対する反応を読み取るのが困難な生物も含まれる。
【０００８】
本発明によるサーバー装置は、以下のキャラクター情報記憶手段、ユーザー情報記憶手段、登録実行手段、判定基準記憶手段、判定手段、告知情報記憶手段、告知処理手段を備える。
【０００９】
キャラクター情報記憶手段には、複数種のキャラクターのそれぞれについて、その特性を表すプロフィール情報が登録される。ここでいうキャラクターは、ものを言う生物として表現されるもので、プロフィール情報には、性別、年齢、性格などの個性を表す情報が含まれる。
【００１０】
ユーザー情報記憶手段は、前記有体物の管理者に固有の情報を登録するためのものである。登録実行手段は、通信端末装置との通信により当該通信端末装置の識別情報を取得すると共に、当該通信端末装置との通信を介して特定のセンサ装置の識別情報の入力および前記キャラクター情報記憶手段に登録されたキャラクターのうちの１つを選択する操作を受け付ける。そして、選択されたキャラクターを特定する情報と前記通信端末装置の識別情報と前記センサ装置の識別情報とを互いに紐付けてユーザー情報記憶手段に登録する。
【００１１】
判定基準記憶手段には、センサ装置から取得した測定データを分析してその分析結果から当該センサ装置の測定対象の有体物にとって好ましくない状態が生じていることを意味する危険告知および当該有体物にとって好ましい状態であることを意味する安心告知を行うタイミングを判定するための判定基準が登録される。判定手段は、ユーザー情報記憶手段への登録が完了したセンサ装置毎に、その装置から取得した測定データを前記判定基準に基づき分析する処理を繰り返しながら、分析結果に基づき危険告知用の告知情報および安心告知用の告知情報を配信するタイミングを判定する。
【００１２】
告知情報記憶手段には、キャラクター情報記憶手段に登録されている各キャラクターについて、それぞれそのキャラクターのプロフィール情報に適合する態様による危険告知用の告知情報と安心告知用の告知情報とが少なくとも１種類ずつ登録されている。告知処理手段は、判定手段により危険告知または安心告知を行うタイミングであると判定されたセンサ装置に関して前記ユーザー情報記憶手段に登録された情報に基づき、当該センサ装置に紐付けられているキャラクターに関して前記告知情報記憶手段に登録されている告知情報を、当該センサ装置に紐付けられている通信端末装置に送信する。
【００１３】
上記構成によれば、管理対象物の管理者は、管理対象物と共にセンサ装置の提供を受け、自身の通信端末装置によりサーバー装置にアクセスしてセンサ装置の識別情報を入力すると共に、サーバー装置に登録されているキャラクターの中から自分の好みのキャラクターを選択することにより、サーバー装置への登録を完了させる。登録後のサーバー装置では、センサ装置から送信される測定データを判定基準に基づき分析する処理を繰り返しながら、危険告知や安心告知のタイミングを判定する。いずれの告知も、管理者により選択されたキャラクターのプロフィール情報に適合する態様の告知情報により行われるので、管理者は、実際の管理対象物の分身（アバター）からメッセージが届いているかのような感覚をもって告知の内容を確認し、その告知に応じた行動をとるように動機付けされる。
【００１４】
上記のサーバー装置の一実施形態においては、前記判定基準記憶手段に、好ましくない状態に相当する測定データを複数種の閾値と比較することにより、当該測定データが各閾値により特定される複数段階の危険レベルのいずれに該当するかを判定すると共に、所定の危険レベルにあった測定データがより危険度の高い危険レベルに移行したと判定される都度危険告知を行うように定義された判定基準が登録される。また告知情報記憶手段には、前記危険告知に関して、危険レベル毎に内容の異なる告知情報が登録され、告知処理手段は、判定手段により危険告知を行う旨の判定がなされたとき、そのときに判定されている危険レベルに対応する危険告知用の告知情報を通信端末装置に送信する。
【００１５】
上記の実施形態によれば、危険度が高い危険レベルに移行するほど緊迫度がより高められた告知が行われるように各危険レベル毎の告知情報を組み立て、これらを告知情報記憶手段に登録しておくことにより、実際に管理対象物またはその周囲の状態の危険度が高まってきたときに、管理者に強く訴える告知を行ってその状態の改善をはかることができる。
【００１６】
上記の実施形態においては、さらに安心告知に関しても、前記複数段階の危険レベル毎に内容の異なる告知情報を登録することができる。その場合の告知処理手段は、所定の危険レベルにあった測定データが好ましい状態に相当するレベルに向かって変化したことに応じて前記判定手段により安心告知を行う旨の判定がなされたとき、前記変化が開始された時点の危険レベルに対応する安心告知用の告知情報を送信する。
【００１７】
上記によれば、安心告知についても、測定データが好ましい状態に相当するレベルに向かって変化を開始したときの危険レベルによって内容の異なる告知を行うことができる。よって、危険度が非常に高い危険レベルにまで移行した場合には、そのことを強く訴える告知を行って、管理者に反省の念や管理対象物に対する注意力を喚起させることができる。
【発明の効果】
【００１８】
本発明によれば、現実の世界では取り扱いに対する反応や生じている問題を認識することが困難な管理対象物をユーザーの好みのキャラクターにより擬人化して、そのキャラクターからのメッセージとして危険な状態や安心できる状態を告知するので、管理対象物に対する管理者の愛着や親近感や注意力が高められ、管理対象物を大事に取り扱おうという気持ちを養うことができる。また、特に管理対象物が危険な状態に陥っている場合に、その危険を管理者に明確に伝えて、問題解決のための行動を速やかにとるように促すことができる。
【図面の簡単な説明】
【００１９】
【図１】本発明が適用された植物の栽培支援用のシステムの概略を示す説明図である。
【図２】通信端末装置における告知の変遷例を示す説明図である。
【図３】サーバー装置の機能ブロック図である。
【図４】図３中のユーザー情報記憶部、植物情報記憶部、判定基準記憶部のデータ構成をこれらの記憶部の間の関係と共に示す説明図である。
【図５】各ステージで実施される告知の内容の具体例を示す説明図である。
【図６】図４（Ｃ）に示した判定基準に基づき実行されるメインルーチンの手順を示すフローチャートである。
【図７】危険フラグｆ１がオンのときに実行されるサブルーチンの手順を示すフローチャートである。
【図８】危険フラグｆ２がオンのときに実行されるサブルーチンの手順を示すフローチャートである。
【図９】危険フラグｆ３がオンのときに実行されるサブルーチンの手順を示すフローチャートである。
【図１０】危険フラグｆ０がオンのときに実行されるサブルーチンの手順を示すフローチャートである。
【発明を実施するための形態】
【００２０】
図１は植物の栽培支援用のシステムの概略を示す。このシステムは、栽培対象の植物４と組み合わせて販売されるセンサ装置２と、植物を栽培する人（以下「ユーザー」という。）が所持する通信端末装置３（この実施例ではスマートフォンを使用。）と、これらの装置２，３とインターネットを介して通信を行うサーバー装置１とにより構成されている。植物４とセンサ装置２との組み合わせは複数存在し、これらを購入してサーバー装置１への登録処理を完了したユーザーの数に相当する台数の通信端末装置３がシステムに組み込まれる。通信端末装置３には、あらかじめ専用のアプリケーションプログラムがダウンロードされる。
【００２１】
センサ装置２は、植物４が植えられた鉢４０内の土壌の水分量を測定するために土壌に挿入される検出部２１と信号処理部２０とにより構成される。図１の点線枠内に示すように、信号処理部２０には、信号入力部２２，アンプ２３，Ａ／Ｄコンバータ２４，マイクロコンピュータによる制御部２５，インターネット通信用の無線通信回路２６などが組み込まれている。信号処理部２０は、検出部２１に電気接続されると共に、鉢４０の外周面に装着又は鉢の近傍に配備される。検出部２１による水分量の検出信号は信号処理部２０において一定の時間間隔毎にサンプリングされてディジタル変換され、その変換後のディジタルデータ（以下これを「測定データ」という。）がサーバー装置１に送信される。
【００２２】
サーバー装置１では、センサ装置２から受信した測定データをメモリに蓄積しつつ分析し、その分析結果に基づき、ユーザーに植物４の状態に関する告知を行うタイミングや告知の内容を判定する。この実施例では、サーバー装置１からユーザーの通信端末装置３に、画像および音声データを含む告知情報を送信し、これを受けた通信端末装置３でまずプッシュ通知を行い、この通知に応じてユーザーがアプリケーションを起動させることにより、受信した告知情報による画像の表示や音声出力が行われるようにしている。また無味乾燥な注意や警告ではなく、ユーザーにより予め選択されたキャラクターの属性を反映させた画像や音声により、植物４に宿るキャラクターの気持ちを表現するような告知を実行する。
【００２３】
図２は、通信端末装置３における告知の変遷の例を示すものである。図２（１）は、土壌の水分が不足していることや水の供給を求める内容の告知（以下「危険告知」という。）である。図２（２）は、危険告知を受けたユーザーが水やりを行って土壌の水分が上昇したが、まだ不足しているときに発せられる告知（以下「中間告知」という。）である。図３（３）は、水分が適量レベルにまで回復したことに対する反応を示す告知（以下、「安心告知」という。）である。いずれの告知も、キャラクターの動画像または静止画像の表示と音声によるメッセージの出力とにより行われる。
【００２４】
後述するように、水分の不足の度合いが高められると、危険告知の内容も緊迫度合いが高められたものに変化する。また図２（３）の例では、安心告知として御礼のメッセージが出力されているが、水分の不足の度合いが高い状態に陥った場合には、適量レベルにまで回復した際に不満や抗議の感情を含めたメッセージが出力される（後述する図５を参照。）。
【００２５】
図３は、上記の処理を実行するためにサーバー装置１に設定される機能を表す機能ブロック図である。このサーバー装置１には、ユーザー情報登録実行部１０，測定データ受信処理部１１，判定処理部１２，告知処理部１３の各機能と、ユーザー情報記憶部１４，植物情報記憶部１５，キャラクター情報記憶部１６，測定データ記憶部１７，判定基準記憶部１８，告知情報記憶部１９などが設けられている。
【００２６】
図４は、図３に示した記憶部１４〜１９のうちのユーザー情報記憶部１４，植物情報記憶部１５，判定基準記憶部１８に登録される情報の概念を、これらの記憶部間の関係を表したものである。以下、適宜、図４を参照しながら、図３に示した各種記憶部について説明する。
【００２７】
ユーザー情報記憶部１４には、ユーザー毎に、そのユーザー自身の識別情報（ユーザーＩＤ）、通信端末装置３の識別情報（端末ＩＤ）、ユーザーが購入したセンサ装置２の識別情報（センサＩＤ）、キャラクター種別、キャラクターの名前などが登録される（図４（Ａ）を参照。）。
【００２８】
キャラクター種別は、ユーザーが購入した植物の「アバター」としてユーザーに選択されたキャラクターを特定するためのもので、ユーザー情報記憶部１４には、選択されたキャラクターの種別コードが登録される。キャラクター情報記憶部１６には、キャラクターの種別毎に、そのキャラクターを表す画像や音声のサンプルデータや性別、年齢、性格などの属性情報を含むプロフィール情報が登録される。
【００２９】
植物情報記憶部１５には、センサ装置２に組み合わせられて市場に出た植物の名称が登録された植物リストテーブル１５１、これらの植物とセンサ装置２との対応関係を示す対応づけテーブル１５２（植物の登録番号とセンサＩＤとの組み合わせが登録される。）、登録された植物に関する詳細な案内情報１５３（植物の育成に関する説明や注意点などを含むもの）が登録される（図４（Ｂ）を参照。）。
【００３０】
測定データ記憶部１７は、ユーザー情報記憶部１４への登録が完了したセンサ装置２から受信した測定データを蓄積するためのものである。ここに保存された測定データは、センサＩＤや保存された時刻をキーとして呼び出すことができる。
【００３１】
判定基準記憶部１８には、植物リストテーブル１５１に登録されている植物毎に、その植物に対応する測定データの分析によって土壌の状態やユーザーへの告知のタイミングや告知内容などを判定するための判定基準が登録されている。この判定基準には、測定データを複数段階のステージに振り分けるための閾値や判定用のプログラムなどが含まれる。判定用のプログラムは、各閾値に基づいて測定データの変化を追跡し、その変化に応じて告知の内容を様々に変動させるように設計されている（図４（Ｃ）を参照。）。
【００３２】
告知情報記憶部１９には、各種告知を表す画像データと音声データとの組み合わせが、告知の種毎およびキャラクター種別毎に登録されている。具体的には、告知情報記憶部１９内にキャラクター種別毎のフォルダが設けられ、これらのフォルダに、各種の告知毎に画像データファイルおよび音声データファイルの組み合わせ、または音声入りのビデオ画像のデータファイルが登録される。いずれのデータファイルも、キャラクターの種別コードと告知情報のラベル名とをキーとして読み出すことができる。なお、各告知情報にはそれぞれ固有のラベル名が付与されるが、図４（Ｃ）に示すように、危険告知のラベル名の先頭文字は「Ｄ」に統一され、安心告知のラベル名の先頭文字は「Ｒ」に統一され、中間告知のラベル名の先頭文字は「Ｍ」に統一される。
【００３３】
つぎに、図３に示した各処理部１０〜１３の機能について説明する。
ユーザー情報登録実行部１０は、サーバー装置１との通信用のアプリケーションプログラムがダウンロードされた通信端末装置３からのアクセスに応じて、その通信端末装置３の端末ＩＤを取得し、これをユーザー情報記憶部１４に登録する。さらにユーザー情報登録実行部１０は、当該通信端末装置３を介して、ユーザーＩＤ、センサＩＤ、キャラクターの名前などの入力やキャラクター種別の選択結果を受け付け、受け付けた情報をユーザー情報記憶部１４に登録する。ユーザー情報記憶部１４への登録処理は必ずしも一括で行う必要はなく、情報の種毎に分けて行っても良く、登録後にも適宜の変更が可能である。
【００３４】
なお、キャラクター種別の選択を受け付けるときには、ユーザー情報登録実行部１０は、キャラクター情報記憶部１６に登録されている情報に基づき、接続中の通信端末装置３に各キャラクター種別のリストを表示させ、そのリストで選択されたキャラクター種別のサンプルデータを通信端末装置３に送ってサンプル画像やサンプル音声を出力させたり、各種属性情報による検索でリストへの表示対象を絞り込むなど、ユーザーが簡単にキャラクターを選択できるようにするための支援用処理を実行する。センサＩＤの入力に関しても、センサ装置２の本体等にバーコードや２次元コードとして記しておき、これをユーザーの通信端末装置３に読み取らせる方法を採用することができる。
【００３５】
測定データ受信処理部１１は、ユーザー情報記憶部１４への登録が完了したセンサ装置２から測定データの送信を受け付け、これらの測定データをセンサ装置２毎に時系列に並べて測定データ記憶部１７に保存する。
【００３６】
判定処理部１２は、ユーザー情報記憶部１４に登録されたセンサ装置２毎に、そのセンサＩＤにより植物情報記憶部１５の対応づけテーブル１５２を参照して当該センサ装置２に対応する植物を特定する。そして以後は、この特定された植物に対して登録されている判定基準に基づき、当該センサ装置２に関して測定データ記憶部１７に保存された測定データを分析し、管理対象の植物４が植えられている土壌の状態や告知のタイミングおよび内容を判定する。
【００３７】
なお、上記の対応づけテーブル１５２は、市場に出たセンサ装置２のセンサＩＤと植物４との組み合わせを登録するものとして、システム管理者により準備されたものである。センサＩＤと植物４との対応関係の登録は、このようなシステム管理者による事前の登録に限らず、ユーザー自身にセンサＩＤと共に植物４の種類の入力をさせ、これらをユーザー情報登録部１４に登録しておく方法により行ってもよい。
【００３８】
告知処理部１３は、判定処理部１２の判定に連動して、その判定対象の測定データに対応するセンサ装置２に紐付けられている通信端末装置３に、判定された告知用の告知情報を送信する処理を実行する。告知処理部１３の処理でもユーザー情報記憶部１４の登録情報が参照されて、告知情報の送信先の通信端末装置３やどのキャラクターの告知情報を送信するかが特定される。
【００３９】
図４（Ｃ）は、植物リストテーブル１５１中の所定の植物に関する判定基準の概念を模式的に表したものである。この例の判定基準では、４種類の閾値ｄ０，ｄ１，ｄ２，ｄ３により、測定データにより示される水分量を、適量範囲に相当するステージ０、水分過剰に相当するステージ０Ｘ、水分不足に相当するステージ１，２，３の５段階に振り分けている。またステージ０を除く各ステージにおいてそれぞれ２種類の危険告知を実施すると共に、１番目の危険告知から２番目の危険告知に進むことで緊迫度が高められるように各告知の内容を設定している。また水分不足の度合いが高まるにつれても、危険告知の緊急度が高められるようにしている。
【００４０】
また、水分量に問題があるステージ０Ｘ，１，２，３には、それぞれ測定データが対応するステージに入ったことを記憶するためのフラグｆ０，ｆ１，ｆ２，ｆ３が対応づけられる。以下、これらを「危険フラグ」という。
【００４１】
ステージ０では、水分量が適量になったことを示す安心告知が行われるが、その告知のときに設定されている危険フラグの種類によって安心告知の内容が変動する。また、ステージ２またはステージ３の測定データがステージ０に向かって変化したが、その変化が途中で止まった場合には、中間告知が行われる。
【００４２】
図５は、あるキャラクターについて、図４（Ｃ）に示した各告知情報中の音声メッセージの内容を例示したものである。この例に示すように、危険告知については、危険レベルが高くなるにつれて告知でも緊迫度が高められ、安全告知についても、どのステージからの回復であるかによって、告知の内容を変動させることにより、植物４の状態を植物自身の感情をこめた表現によりわかりやすく伝えることができる。また植物４への水やりというユーザーの行為が行われたときの状況によって異なる応答をすることで、告知がワンパターンになることがなく、植物４に対するユーザーの愛着や親近感を大いに高めることができる。
【００４３】
なお、通信端末装置３にインストールされるアプリケーションプログラムには、サーバー装置１からの告知情報を受信して出力する機能のほか、自装置からサーバー装置１にアクセスして、ユーザーが育成中の植物４に関する詳細案内情報を読み出す機能が設けられている。後者の機能によるアクセスを受けたサーバー装置１は、アクセスしたサーバー装置１の端末ＩＤによりユーザー情報記憶部１４を検索して当該端末ＩＤに紐付けられているセンサＩＤを特定し、このセンサＩＤに対する植物情報記憶部１５内のリンクを辿って該当する詳細案内情報を特定し、これを通信端末装置３に送信する。
【００４４】
図６〜１０は、図４（Ｃ）に示した判定基準に基づいて判定処理部１２および告知処理部１３により実行される処理の概略手順である。この判定基準による処理は、当該判定基準が適用される特定のセンサ装置２に対するもので、メインルーチン（図６）と危険フラグｆ１，ｆ２，ｆ３，ｆ０のオン・オフ状態に応じて切り替えられるサブルーチン（図７〜図１０）とから成る処理とが含まれ、一定の時間（たとえば１０分）毎にメインルーチン（処理の進行状況に応じて実行されるサブルーチンを含む。）が１サイクル実施されるように設定されている。
【００４５】
まず、図６のメインルーチンの手順を一通り説明する。最初のステップＳ１では、処理対象のセンサ装置２に関して前回の処理より後に蓄積された測定データを読み出し、これらの平均値を算出する方法により直近の水分量を取得する。つぎのステップＳ２では、直近の水分量を適量範囲の上限値ｄ０および下限値ｄ１と比較することにより、水分量の適否を判定する。直近の水分量がｄ１以下であれば、水分量は不足していると判定し、ステップＳ４の判定を経て危険フラグｆ１をオンに設定し（ステップＳ５）、経過時間測定用のタイマをリセットする（ステップＳ６）。この後は、ステップＳ１０として、危険フラグｆ１オン時のサブルーチン（図７）を実行する。
【００４６】
ステップＳ１で取得した水分量がｄ０を上回る場合には、水分量は過剰であると判定し、ステップＳ２およびステップＳ７の判定を経て危険フラグｆ０をオンに設定し（ステップＳ８）、経過時間測定用のタイマをリセットする（ステップＳ９）。この後は、ステップＳ１０として、危険フラグｆ０オン時のサブルーチン（図１０）を実行する。
【００４７】
ステップＳ１で取得した水分量がｄ１より大きくｄ０以下であれば、水分量は適量であると判定する。ここでいずれの危険フラグもオフであれば、ステップＳ１→Ｓ２→Ｓ３→Ｓ１という流れで、サブルーチンに移行することなく１サイクル分の処理を終了する。
【００４８】
いずれかの危険フラグがオンに設定されているときのメインルーチンでは、ステップＳ１およびＳ２の後にステップＳ３，Ｓ４，Ｓ７のいずれかで所定の危険フラグがオンであると判定されてステップＳ１０に進む流れにより、オン状態の危険フラグの種類に対応するサブルーチンを実行する。
【００４９】
以下、測定データの変化のうちの主要なものを場合分けし、ケース毎に実行される手順を各フローチャートの図番号およびステップ符号を参照しながら説明する。なお、以下の説明では、通信端末装置３に告知情報を送信する処理を「告知の実行」として、各告知のラベル名をもって実行される告知を特定する。
【００５０】
（１−１）適量範囲のステージ０にあった水分量が減少してステージ１に入った場合
測定データがステージ０に相当する値からステージ１に相当する値に変化すると、メインルーチンでは、ステップＳ１→Ｓ２→Ｓ４→Ｓ５→Ｓ６→Ｓ１０の順に処理が進行することにより、危険フラグｆ１のオン設定とタイマのリセットが行われ、危険フラグｆ１オン時のサブルーチン（図７）に入る。このサブルーチンでは、最初のステップＳ１０１で、直近の水分量がステージ１の範囲に入ると判定されてステップＳ１０２に進み、タイマリセット後に告知を行ったか否かがチェックされる。この段階ではステップＳ１０２の判定は「ＮＯ」となり、ステップＳ１０３に進んでステージ１用の第１の危険告知Ｄ１Ａを実行する。
【００５１】
次のサイクルでの水分量もステージ１に入る場合には、メインルーチンではステップＳ１→Ｓ２→Ｓ４→Ｓ１０の順に処理が進み、図７のサブルーチンに入る。このときもステップＳ１０１からステップＳ１０２に進むが、ここでの判定は「ＹＥＳ」となってステップＳ１０４に進み、前回の告知からの時間を所定の規定値と比較する。この経過時間が規定値以下であれば、ステップＳ１０４の判定は「ＮＯ」となってメインルーチンに戻る。
【００５２】
たとえば数サイクル分に相当する時間長さを規定値に設定しておくと、その規定値に対応する数だけ、ステップＳ１０１→Ｓ１０２→Ｓ１０４の流れを経てメインルーチンに戻り、再度メインルーチンから上記の流れに移行する手順が繰り返される。告知からの時間が規定値を越えると、ステップＳ１０４の判定が「ＹＥＳ」となってステップＳ１０５に進み、ステージ１用の第２の危険告知Ｄ１Ｂが実行される。その後も、水分量がステージ１の範囲にある間は、直近に実行したステップＳ１０５の告知からの経過時間が規定値を超える都度、第２の危険告知Ｄ１Ｂが実行される。なお、図８〜１０のサブルーチンにも、ステップＳ１０４，Ｓ１０５と同様の処理があり、各規定値に共通の値を設定することができる。ただしこれに限らず、サブルーチン毎の規定値にそれぞれ異なる値を設定してもよい。
【００５３】
（１−２）ステージ１からステージ０に復帰した場合
水分量がステージ１に相当する量から適量範囲のステージ０に戻った直後のメインルーチンでは、まだ危険フラグｆ１がオンに設定されているので、ステップＳ１→Ｓ２→Ｓ３→Ｓ１０の順に処理が進み、再び図７のサブルーチンに入る。
【００５４】
この段階では、ステップＳ１０１からステップＳ１０８に進んで安心告知Ｒ１０を実行した後、ステップＳ１０９で危険フラグｆ１をオフに設定する。その後の水分量も適量である間は、先にも述べたように、サブルーチンへは移行せずに、メインルーチンのステップＳ１→Ｓ２→Ｓ３→Ｓ１の手順を繰り返す。
【００５５】
（２−１）水分量がステージ２のレベルにまで減少した場合
ステージ１までの水分量の減少に関しては、（１−１）で説明した手順で処理が進行する。水分量がステージ１の範囲からステージ２の範囲に変化した場合でも、当初は危険フラグｆ１がオンとなっているので、メインルーチンから危険フラグｆ１オン時のサブルーチン（図７）に入り、ステップＳ１０１からステップＳ１０６に進んで、危険フラグｆ１をオフにすると共に、危険フラグｆ２をオンに設定する。さらに続くステップＳ１０７において、タイマをリセットする。
【００５６】
タイマリセット後のサイクルでは、フラグの設定の切り替えに伴い、メインルーチンから危険フラグｆ２オン時のサブルーチン（図８）に入る。このサブルーチンでは、最初のステップＳ２０１において、ステージ２の範囲を決める閾値ｄ２，ｄ３により水分量を再チェックし、ここで水分量がステージ２の範囲に入ると判定されたことに応じてステップＳ２０２に進み、タイマリセット後に告知を実行したか否かを判定する。そしてこの判定が「ＮＯ」となったことに応じてステップＳ２０３に進み、ステージ２用の第１の危険告知Ｄ２Ａを実行する。
【００５７】
その後の水分量も第２ステージの範囲にある場合には、毎回のサイクルでメインルーチンから図８のサブルーチンに入り、ステップＳ２０１からステップＳ２０２を経てステップＳ２０４に進んで、前回の告知からの経過時間が規定値を越えたか否かを判定する。しばらくの間は、ステップＳ２０４での「ＮＯ」判定に応じてメインルーチンに戻る流れが繰り返されるが、第１の危険告知Ｄ２Ａからの経過時間が規定値を越えると、ステップＳ２０４の判定が「ＹＥＳ」となってステップＳ２０５に進み、ステージ２用の第２の危険告知Ｄ２Ｂを実行する。その後も、水分量が第２ステージの範囲にある間は、直近に実行したステップＳ２０５の告知からの経過時間が規定値を超える都度、危険告知Ｄ２Ｂが実行される。
【００５８】
（２−２）水分量がステージ２から上昇した場合
ステージ２にあった水分量がユーザーの水やり行為により適量範囲にまで回復しても、メインルーチンに戻った直後は危険フラグｆ２がオンになっているため、ステップＳ１→Ｓ２→Ｓ３→Ｓ１０の順に処理が進行して危険フラグｆ２オン時のサブルーチン（図８）に入る。この段階では、ステップＳ２０１からステップＳ２０８に進んで水分量をステージ１の範囲と比較し、ここで水分量がステージ１より上であると判定されたことに応じてステップＳ２０９に進み、安心告知Ｒ２０を実行する。さらにステップＳ２１０において、危険フラグｆ２をオフに設定する。
【００５９】
水分量は上昇したがその上昇がステージ１の範囲で止まってしまった場合にも、まずメインルーチンから図８のサブルーチンに入り、ステップＳ２０１からステップＳ２０８に進む。このときの判定は「ＮＯ」となり、その判定に応じてステップＳ２１１に進んで中間告知Ｍ２１を実行した後、ステップＳ２１２において、危険フラグｆ２をオフにし、危険フラグｆ１をオンに設定する。
【００６０】
（３−１）水分量がステージ３のレベルまで減少した場合
適量の範囲からステージ２まで減少する間の処理は、（１−１）および（２−１）で説明したとおりである。水分量がステージ２に相当する値からステージ３に相当する値に変化した直後は、危険フラグｆ２がオンとなっているため、メインルーチンから危険フラグｆ２オン時のサブルーチン（図８）に入る。この段階のサブルーチンでは、ステップＳ２０１からステップＳ２０６に進んで、危険フラグｆ２をオフにし、危険フラグｆ３をオンにする。さらにステップＳ２０７でタイマをリセットしてメインルーチンに戻る。
【００６１】
つぎのサイクルでは、メインルーチンから危険フラグｆ３オン時のサブルーチン（図９）に入る。ここでも、最初のステップＳ３０１で水分量を再チェックし、ここで水分量がステージ２の範囲より下であると判定されたことに応じてステップＳ３０２に進み、タイマリセット後に告知を実行したか否かを判定する。そしてステップＳ３０２の判定が「ＮＯ」となったことに応じてステップＳ３０３に進み、ステージ３用の第１の危険告知Ｄ３Ａを実行する。
【００６２】
その後も、水分量がステージ３の範囲に入る状態が続いている間は、メインルーチンから図９のサブルーチンに入り、ステップＳ３０１→Ｓ３０２→Ｓ３０４の順に処理が進行し、ステージ３０４において前回の告知からの経過時間が規定値を超えたか否かを判定する。しばらくの間はステップＳ３０４の判定が「ＮＯ」となってメインルーチンに戻る状態が続くが、危険告知Ｄ３Ａの実行からの経過時間が規定値を越えると、ステップＳ３０４の判定が「ＹＥＳ」となってステップＳ３０５に進み、ステージ３用の第２の危険告知Ｄ３Ｂを実行する。
【００６３】
（３−２）水分量がステージ３から上昇した場合
ステージ３まで下がった水分量がユーザーの水やり行為により上昇した直後は、フラグｆ３のオン状態が維持されているため、メインルーチンからフラグｆ３オン時のサブルーチン（図９）に入る。水分量が適量範囲にまで回復した場合には、ステップＳ３０１からステップＳ３０６に進んで安心告知Ｒ３０を実行し、続くステップＳ３０７で危険フラグｆ３をオフに設定する。
【００６４】
一方、水分量の上昇がステージ１の範囲で止まった場合には、ステップＳ３０１からステップＳ３０８に進み、中間告知Ｍ３１を実行する。さらにステップＳ３０９に進んで、危険フラグｆ３をオフとし、危険フラグｆ１をオンに設定する。
【００６５】
水分量の上昇がステージ２の範囲で止まった場合には、ステップＳ３０１からステップＳ３１０に進み、中間告知Ｍ３２を実行する。さらにステップＳ３１１に進んで、危険フラグｆ３をオフとし、危険フラグｆ２をオンに設定する。
【００６６】
なお、上記の手順では、水分量がステージ１またはステージ２から一段階下のステージのレベルに下がったことが検出されたサイクルでは、危険フラグの切り替えとタイマのリセットのみを行い（図７のＳ１０６，Ｓ１０７、図８のＳ２０６，Ｓ２０７）、次のサイクルで移行後のステージに対応する第１の危険告知を行うようにしたが、これに限らず、水分量の低下が検出されたサイクルで危険告知を行うようにしてもよい。
【００６７】
また図７，８，９のサブルーチンでは、水分量がステージ１の範囲より上回ったことをもって安心告知を実行し、オン状態の危険フラグをオフにしているが、この時点での水分量は必ずしも適量とは言えず、水のやりすぎで過剰になっている可能性もある。しかし、その場合にも、安心告知の直後のサイクルで次に述べる手順を実行することにより、過剰の状態に対応することができる。
【００６８】
（４−１）水分量が過剰になった場合
すべての危険フラグがオフの状態で水分量がステージ０の上限値ｄ０を上回るときには、メインルーチンではステップＳ１→Ｓ２→Ｓ７→Ｓ８→Ｓ９→Ｓ１０の順に処理が進行して、危険フラグｆ０がオンに設定されると共にタイマがリセットされ、図１０のサブルーチンに入る。このサブルーチンの最初のステップＳ１１では、ステージ０とステージ０Ｘとの間の閾値ｄ０に基づき、水分量がステージ０ｘの範囲に入ると判定してステップＳ１２に進み、タイマリセット後に告知を行ったか否かを判定する。さらに、ステップＳ１２の「ＮＯ」判定に応じてステップＳ１３に進み、ステージ０Ｘ用の第１の危険告知Ｄ０Ａを実行する。
【００６９】
その後も、水分量が適量の範囲を上回る状態が続くと、メインルーチンではＳ１→Ｓ２→Ｓ７→Ｓ１０の流れで処理が進行して図１０のサブルーチンに入る。この段階ではステップＳ１１およびＳ１２を経てステップＳ１４に進み、前回の告知からの経過時間が規定値を越えたか否かを判定する。しばらくの間はステップＳ１４の判定が「ＮＯ」となってメインルーチンに戻る手順が繰り返されるが、危険告知Ｄ０Ａの実行からの経過時間が規定値を超えると、ステップＳ１４の判定が「ＹＥＳ」となってステップＳ１５に進み、ステージ０ｘ用の第２の危険告知Ｄ０Ｂが実行される。その後も、水分量が適量の範囲を上回る状態が続くと、前回の告知からの経過時間が規定値を超える都度、危険告知Ｄ０Ｂが実行される。
【００７０】
（４−２）水分量がｄ０以下になった場合
過剰状態であった水分量が閾値ｄ０以下になったときも、その直後は危険フラグｆ０がオン状態であるため、メインルーチンから図１０のサブルーチンに入る。この段階ではステップＳ１１からステップＳ１６に進んで安心告知Ｒ０を実行し、さらに次のステップＳ１７で危険フラグｆ０をオフにする。
【００７１】
上記の安心告知Ｒ０が実行された段階での水分量が適量の範囲を下回っている可能性もあるが、その場合には、安心告知Ｒ０の実行直後のサイクルで（１−１）で述べた処理が実行される。
【００７２】
上記一連の処理において、中間告知Ｍ２１，Ｍ３１，Ｍ３２の実行（図８のＳ２１１，図９のＳ３０８，Ｓ３１０）およびその後の危険フラグの切り替え（図８のＳ２１２，図９のＳ３０９，Ｓ３１１）が行われた後も、水分量の上昇が生じなかった場合には、オン状態のフラグに対応するサブルーチン（図７又は図８）において所定時間後に危険告知が行われる。中間告知の実行後にはタイマがリセットされないため、いずれのステージでも、中間告知後の危険告知は第２の告知情報により実行される。ただし、中間告知後の危険告知に関しては、第２の危険告知Ｄ１Ｂ，Ｄ２Ｂに限らず、再び第１の告知Ｄ１Ａ，Ｄ２Ａが実行されるようにしても良い（そのためには、中間告知後にタイマをリセットする。）。または、第１および第２の危険告知とは内容が異なる第３の危険告知を行ってもよい。
【００７３】
上記図６〜１０に示したアルゴリズムや図５に示した告知情報によれば、水分量の不足の度合いが大きくなるにつれて、緊迫度が高められた危険告知を実行することができる。また水分量が適量の範囲に回復したときに行われる安心告知も、どのステージまで低下したかによって内容が異なるものになり、水分が不足する状態が長くなるほど、強く訴える内容の告知を行うことができる。またユーザー自身が選んだキャラクターの肉声により各種告知を届け、水やりのタイミングが遅れた場合には、図５の安心告知Ｒ３０のような不満を入れた告知を行うことによって、ユーザーに反省の念を喚起させることができる。
【００７４】
なお、上記の例では、水分不足状態を複数段階のステージに分けて、ステージ毎に異なる内容の危険告知を行ったが、サボテンなど、頻繁に水やりをする必要がない植物の場合には、水分の過剰状態に関して複数段階のステージを設けて、水分の過剰が検出されたときにその過剰の度合いを詳細に伝える告知を行うのが望ましい。
【００７５】
また上記の実施例では、ステージ毎に２種類の告知を設定したが、より多彩な告知のバリエーションを設定することもできる。または、同一のステージにおいて第２の危険告知が所定回数以上実行された後もステージ０に向かう方向への水分量の変化が生じない場合には、別途準備された特別の危険告知を実行してもよい。
【００７６】
水分量が適量であるという判定が続く場合にも、適当な時間毎に、安心告知を行っても良く、さらに、複数種の安心告知の中から抽選で実行する告知を選択するなどの方法で、安心告知のマンネリ化を防ぐこともできる。
【００７７】
告知に対してユーザーから何らかの応答をし、これに対してキャラクターから新たな告知が行われるようにしてもよい。たとえば、水を求める危険告知用の画面に「ちょっと待って！」という内容の応答用のボタンを設け、そのボタンが操作されてから所定時間以上が経過しても水分量が上昇しない場合には、「もう待てない！」などの通常とは異なるメッセージ付き危険告知を行うことができる。
【００７８】
センサ装置２や通信端末装置３から位置情報を取得することができるのであれば、これらの間の距離に基づき、告知のタイミングや内容を変動させることも可能である。たとえば、水分量のレベルが同等であっても、センサ装置２と通信端末装置３との距離が数キロ以上離れている場合（ユーザーは外出中）には「早く帰ってきて・・」とせがむ告知が行われ、両者の距離が数十メートル以内の場合（ユーザーは在宅中）には、「家にいるなら早く水くれよ！」などの怒りモードの告知が行われるような設計が可能である。
【００７９】
センサ装置２についても、水分の検出のみでなく、温度，日照量，紫外線など複数種の物理量の検出機能を持たせ、各検出結果を総合的に分析した結果に基づき、告知の内容を充実させることができる。
【００８０】
通信端末装置３に送信される告知情報は、画像や音声を出力するための情報のみに限らず、音声メッセージを補足する詳細情報を示すテキストデータ、危険告知の連続出力回数なども告知情報に加えることができる。さらに、告知情報の受信から所定時間が経過してからその情報に基づく告知を行ったり、繰り返し告知を行うなど、告知情報の受信後に通信端末装置３に単独で実行させる処理に必要なパラメータやプログラムを告知情報と共に送信することもできる。
【００８１】
ここまで、植物の育成管理用のシステムに本発明を適用する例について説明したが、たとえば、適宜作動させることが望まれる物品の管理に関しても、上記実施例と同様の仕組みのシステムにより、管理者であるユーザーの感情に訴える告知を行うことができる。センサ装置２は、管理対象の物品や検出対象の物理量に応じた種類の装置に置き換えられる。
【００８２】
たとえば、自動車を所持しているユーザーに対し、自動車が利用されない状態が長時間続くことを防ぐ目的で、車内に装着されたＧＰＳセンサ装置からサーバー装置１に定期的に位置情報を送信することができる。サーバー装置１では、たとえば、位置情報の変化から速度を算出し、速度が所定の閾値を下回る状態が所定時間以上続いた場合に、たとえば「寂しい」という言葉を含む危険告知を行い、危険告知後に速度が上昇して前記の閾値より高い第２の閾値を超える状態が所定時間続いたときに、たとえば「嬉しい」「楽しい」などの言葉を含む安心告知を実行する。
【００８３】
また、単身者にこまめに洗濯をする習慣をつけさせるために、そのユーザーが所持する洗濯機に振動センサ装置を装着して、当該センサ装置で測定された振動量を定期的にサーバー装置１に送信してもよい。その場合のサーバー装置１では、たとえば、振動量の変化量や変化のパターンから洗濯機が作動しているか否かを判定し、作動していない状態が所定時間以上続いた場合に、たとえば運動不足でくたびれたキャラクターの画像や音声による危険告知を行い、危険告知後に洗濯機の作動が検出されてその作動が所定時間以上続いたときに、たとえば運動中の張り切った様子のキャラクターの画像や音声を含む安心告知を実行する。さらに、前の作動から所定時間以内に再び洗濯機の作動を検出する状態が続いて、その検出回数が所定値に達したときには、シェイプアップされたキャラクターの画像などによる安心告知を行ってもよい。
【００８４】
いずれの事例でもキャラクターをユーザーにより自由に選択させて、選択されたキャラクターの属性や測定データに対する分析の結果に基づく告知を行うことによって、ユーザーに楽しみを与え、管理対象の物品への愛着を高めることができる。
【００８５】
また、複数種のセンサ装置２のそれぞれによる測定データを総合的に分析して告知を行ったり、複数のキャラクターを選択して、同じ分析結果に対してキャラクター間の対話方式による告知を行うなど、より緻密な情報処理により告知の質を高めることができる。また、告知情報の送信先の通信端末装置を複数登録できるようにすれば、管理者に対する告知を家族などの複数人で共有することができ、この仕組みを独居老人などの見守りの目的にも活用することができる。
【符号の説明】
【００８６】
１  サーバー装置
２  センサ装置
３  通信端末装置
１０  ユーザー情報登録実行部
１１  測定データ受信処理部
１２  判定処理部
１３  告知処理部
１４  ユーザー情報記憶部
１５  植物情報記憶部
１６  キャラクター情報記憶部
１７  測定データ記憶部
１８  判定基準記憶部
１９  告知情報記憶部
２０  検出部
２１  信号処理部
【図１】
2018037975.tif 000003
【図２】
2018037975.tif 000004
【図３】
2018037975.tif 000005
【図４】
2018037975.tif 000006
【図５】
2018037975.tif 000007
【図６】
2018037975.tif 000008
【図７】
2018037975.tif 000009
【図８】
2018037975.tif 000010
【図９】
2018037975.tif 000011
【図１０】
2018037975.tif 000012